Podtech/llm-jp-corpus-v4-ja_patent huggingface dataset:
(57)【要約】【課題】  薄手の生地であるにもかかわらず、ストレッチ織物としての伸縮性に優れ、滑脱しにくく洗濯にも強いという生地安定性に優れたストレッチ織物を提供することにある。【解決手段】  発明におけるストレッチ織物は、伸縮性を有する織物で、特に薄手の生地で、綿糸を経糸に用い、ポリウレタン糸にナイロン糸を撚り合わせたフィラメント糸を緯糸に用い、又経糸と緯糸との密度設定が略同率のスクエア状であることを特徴とする。【選択図】図１
2006249589.tif 000002
【特許請求の範囲】
【請求項１】
綿糸を経糸に用い、ポリウレタン糸にナイロン糸を撚り合わせたフィラメント糸を緯糸に用いたことを特徴とするストレッチ織物。
【請求項２】
経糸と緯糸との密度設定が略同率のスクエア状であることを特徴とする請求項１記載のストレッチ織物。
【請求項３】
経糸及び緯糸が強撚糸であることを特徴とする請求項１又は請求項２記載のストレッチ織物。
【発明の詳細な説明】
【技術分野】
【０００１】
本発明は、伸縮性を有するストレッチ織物に関する。
【背景技術】
【０００２】
従来のストレッチ織物は、例えば、経糸に８０／２（８０双）の綿糸を用い、緯糸に７０Ｄ（デニール）のナイロン糸を用いたものであった。この綿糸は、ガス焼が施されてはおらず、また強撚糸でもない。また、ナイロン糸についても強撚糸ではない。
尚、この先行技術は、文献公知に係るものでないため、記載すべき先行技術文献情報はない。
【発明の開示】
【発明が解決しようとする課題】
【０００３】
しかしながら、従来のストレッチ織物では、伸びた後の戻りが悪く、滑脱しやすいという問題点があった。
【０００４】
本発明は、このような事情に鑑みてなされたもので、ストレッチ織物としての伸縮性に優れ、滑脱しにくく洗濯にも強いという生地安定性に優れたストレッチ織物を提供することにある。
【課題を解決するための手段】
【０００５】
請求項１記載のストレッチ織物は、綿糸を経糸に用い、ポリウレタン糸にナイロン糸を撚り合わせたフィラメント糸を緯糸に用いたことを特徴とする。
【０００６】
請求項２記載のストレッチ織物は、経糸と緯糸との密度設定が略同率のスクエア状であることを特徴とする。
【０００７】
請求項３記載のストレッチ織物は、経糸及び緯糸が強撚糸であることを特徴とする。
【発明の効果】
【０００８】
この発明に係るストレッチ織物は、薄手の生地にかかわらず、ストレッチ織物としての伸縮性に優れ、滑脱しにくく洗濯にも強いという生地安定性に優れている。
【発明を実施するための最良の形態】
【０００９】
以下、本発明の形態について図面を参照しながら具体的に説明する。本発明の形態におけるストレッチ織物は、伸縮性を有する織物で、特に薄手の生地である。図１は、本発明に係るストレッチ織物の加工方法を示すフローチャートである。
【００１０】
本実施の形態におけるストレッチ織物は、綿糸を経糸に用い、ポリウレタン糸にナイロン糸を撚り合わせたフィラメント糸を緯糸に用いている。具体的には、経糸は、例えば、綿１００％でエジプトコーマ系の細番手糸を２本撚った１００双糸で、糸表面をガス焼きした強撚糸を用いる（１００／２ＧＶ）。緯糸は、例えば、１８Ｄ（デニール）のポリウレタン糸に、３０Ｄのナイロン糸を巻き付けたフィラメント糸で、強撚糸を用いる。織り方は例えば平織りである。生地の混率は、例えば、製品表示上、綿６０％、ナイロン３５％、ポリウレタン５％である。また、経糸と緯糸との密度設定は、略同率のスクエア状で、例えば、経糸がインチ間９６本に対し、緯糸がインチ間８６本である。尚、緯糸の芯となる糸として、速乾性、防スケ性、ＵＶカット性、接触冷感性、吸汗性、ソフト性、透明性、吸放湿性等の機能を有した機能性素材を用いることも可能である。
【００１１】
生糸で織り上げられた生地は、図１に示す手順で加工されていく。まず、織物の表面の毛羽を焼く毛焼を行う（Ｓ１０１）。次に、ポリウレタン糸の状態を安定させるために最初の熱セットであるプレヒートセットを行う（Ｓ１０２）。次に、白く晒し（Ｓ１０３）、光沢感を増させ鮮明に染まるようにアルカリ溶液に漬けるシルケット加工を行う（Ｓ１０４）。シルケット加工が施された後、染めを行う（Ｓ１０５）。染めは、ナイロン糸と綿糸でそれぞれ別浴で行う。具体的には、まずナイロン糸に対しては、酸性染料を用いてサーキュラー染めを行い、次に綿糸に対しては反応染料を用いて連続染色を行う。次に、ヒートセットを行った後（Ｓ１０６）、生地の縮を解消する防縮加工としてサンフォライズを行う（Ｓ１０７）。そして、柔軟性を得るためにソフト樹脂加工を施す（Ｓ１０８）。
【００１２】
以上のような生地規格及び加工により得られたストレッチ織物は、ストレッチ性及び生地安定性に優れている。具体的には、伸縮性としては、ＪＩＳ規格Ｌ１０９６の伸縮率のＢ法（定荷重法）で７０％以上である。また、滑脱抵抗力としては、ＪＩＳ規格Ｌ１０９６の縫目滑脱法（Ｂ法）で、３ｍｍ以内である。さらに、収縮性としては、まず、家庭用洗濯であるＤ法（石けん液浸せき法）で±３％以内である。また、乾燥処理法であるＨ２法（蒸熱オープン法）で±３％以内である。すなわち、このストレッチ織物は、薄手の生地にかかわらず、ストレッチ性としての伸縮性に優れ、滑脱しにくく洗濯にも強いという生地安定性に優れている。
【産業上の利用可能性】
【００１３】
以上のように、本発明によればストレッチ性及び生地安定性に優れ、薄手の伸縮性のある織物に適用できる。
【図面の簡単な説明】
【００１４】
【図１】本発明に係るストレッチ織物の加工方法を示すフローチャートである。
【符号の説明】
【００１５】
Ｓ１０１・・・毛焼
Ｓ１０２・・・プレヒートセット
Ｓ１０３・・・晒し
Ｓ１０４・・・シルケット
Ｓ１０５・・・染め
Ｓ１０６・・・ヒートセット
Ｓ１０７・・・サンフォライズ
Ｓ１０８・・・ソフト樹脂処理
【図１】
2006249589.tif 000003
(57)【要約】【課題】  指先の冷えを解消するに有効な刺激を与え、保湿性を保すよう指先を強く踏み付ける指の強化を図るソックスを提供する。【解決手段】  指５本の付根（指に半分程度）にかけてソックスの裏面底に深いヒダ織布を付着させる指の冷えと足の強化、生活習慣病を改善できるように、ヒダ織布を付着形成したソックスを構成するものである。【選択図】  図１
2006249639.tif 000002
【特許請求の範囲】
【請求項１】
足の先端、指に刺激を与えるために、ソックスの裏面底先端にヒダ織りの布を形成したことを特徴とするソックス。
【発明の詳細な説明】
【技術分野】
【０００１】  本発明は人が歩く時ソックスを履く。ソックスに付着させるヒダ織の技術が必要とされる。ヒダ織り布は溝を深めに織りヒダのギザギザが指に程良い感触を与え、その布が踏ん付けても形が崩れないようクッションが保たれる事が必要とされる。
【背景技術】
【０００２】  従来のイメージを持つソックスは足の中央を締めつける織り方をしたものであったり、二股、５本指付があったが、ソックスの底にアイデアを取り入れた商品はあまり見られない。【０００３】  一方ヒダ織りの布は指に刺激を与え、血液の循環を良くし、指の強化、冷え症を改善すると言えるソックスは見た事がない。本発明は人が歩く時、足先に刺激を与え、足裏は第２の心臓とも言われておりヒダ織布を指でつかむように力を入れると、頭と内臓機能が強化する。
【発明の開示】
【発明が解決しようとする課題】
【０００４】  従来のソックスの裏面底に指が半分程度掛かるヒダ織り布を付着したソックスは無く、本出願した事は、指の強化、冷え症、糖尿病など生活習慣病の改善を図りたく健康ソックスとして出願した。
【課題を解決するための手段】
【０００５】  本発明は、冷え症、指の強化、生活習慣病の改善を図るべく、足裏から血液の循環を良くして、保温効果も得るためには特徴とするヒダ織り布の縫製技術が必要となる。
【発明の効果】
【０００６】  自分がヒダ織り布を付着して過去２年以上ヒダ織布を縫いつけて歩いている。その結果、指先を意識しながら指に力を入れて歩くため保温力もあるので冷える事も無く足は丈夫、全身に心地良い感触が伝わってくるので血色も良く健康体で過ごせる事は心が嬉しい。
【発明を実施するための最良の形態】
【０００７】  実施にあたっては、ソックス縫製は沢山の人に履いて健康になってもらいたいのでたとえば刑務所で縫製できるならば商品化してもらいたい。最近特に若い人や学生さん、子供達の足が弱くなっており靴の寸法は大きくなって指先に力を入れて歩かない現状化している。女性も冷え症が増えている、全国の刑務所で縫製して多くの人が健康ソックスを履く事を望む。
【実施例１】
【０００８】  本考案の実施形態は図１、１のヒダ織り布である、２はソックスである、２のソックスの裏底先端指が半分掛る位置に１のヒダ織布を付着する。簡単なアイデアだと思うであろうが、この小さなヒダ織布、縦３．５ｃｍ横７ｃｍの布の果たす役割は大きい。布は柔らか過ぎず、硬すぎず、使用者が履き心地の良い指に刺激を与える健康ソックスの縫製が望ましい。【０００９】  本発明の実施例２を作用してソックスはヒダ織布を付着させると言う従来にはなかったソックス。大きな役割りを果たすヒダ織布は、ヒダ織を縫製する技術と生地を選択しなければならない。足の裏は第二の心臓、足の裏を動かすと血液の循環が良くなりポンプの役目を果し現代病が癒される。
【産業上の利用可能性】
【００１０】  最近では若い人、子供や学生が足の寸法が伸び、指先に力を入れないため弱くなっている。女性の冷え症、生活習慣病や肥満も増加している現状を改善しなければならない。小さなヒダ織布を付着すると言う発明であるが、小さな事を見逃さず、一人でも多くの人に履いて欲しいので、大量生産が望める刑務所で縫製作業ができるならば、是非商品化する事を望む。
【図面の簡単な説明】
【００１１】
【図１】本発明に係るソックスの外観、斜視図。
【符号の説明】
１、ヒダ織り布
２、ソックス
【図１】
2006249639.tif 000003
(57)【要約】【課題】本発明は、刺繍加工の問題点だった裏面の不快感を解消すると同時に、刺繍という２次加工の枠の中で高度で新しい技術提供を行う事により、商品価値を今まで以上の物にする事が出来る発明である。【手段】刺繍を施す生地（１）の上に接着シート（２）を乗せ、その上より刺繍加工を施す。次に、接着シートの不要な部分を取り除き、刺繍の表糸（３）と生地（１）とを接着シート（２）の作用により、熱圧着などをして接着する。次に、刺繍の裏面（４）をそぎ落とすなどして取り除き仕上げる裏面ソフト刺繍。【選択図】図１
2006249637.tif 000002
【特許請求の範囲】
【請求項１】
刺繍加工をする生地（１）に刺繍を施す際に、生地（１）の上に接着シート（２）を置き、その上より刺繍加工を施す。その後、接着シート（２）を刺繍箇所のみに残るように取り除く。その後、接着シート（２）の作用により、刺繍の表糸（３）と、生地（１）とを圧着する。
その後、刺繍箇所の裏面（４）を、そぎ取るなどをして刺繍箇所裏面（４）が無い状態にする。一連の作業により仕上げる裏面ソフト刺繍。
【請求項２】
刺繍を施す生地（１）の上に接着シート（２）を乗せ、その上より刺繍を施す。この時、下糸を水溶性の物など、溶解する性質の物を使用し、生地（１）と刺繍の表糸（３）を接着シート（２）の作用により接着した後、下糸を溶かして仕上げる裏面ソフト刺繍。
【発明の詳細な説明】
【発明の詳細な説明】
【技術分野】
【０００１】  この発明は、刺繍加工技術で、なお一層の技術の向上に関するものである。
【背景技術】
【０００２】  従来、刺繍加工を施した個所は、裏面が下糸や生地の縮み防止の為に使用する紙のおかげで非常に固く仕上がり、また、肌に触れた時ガリガリ感があった。【０００３】
【特許文献１】
【発明が解決しようとする課題】
【０００４】  刺繍箇所の裏面の糸や、生地の縮み防止の為の紙を取り除き、肌触りの不快感を無くし、なおかつ従来通りの刺繍加工のような見栄えを有したものである。
【課題を解決する手段】
【０００５】  刺繍を施す生地（１）の上に接着シート（２）を乗せ、接着シートごと生地（１）に刺繍を施す。その後、接着シート（２）を刺繍箇所だけ残して剥ぎ取る。その後、接着シート（２）の作用により、生地（１）と刺繍の表面糸（３）とを圧着する。その後、刺繍の裏面（４）をそぎ落とすなどして取り除き仕上げる。
【発明の実地の形態】
【０００６】  以下、本発明の形態を説明する。
（イ）商品又は商品となる為の生地（１）の上に、接着シート（２）を乗せ、その上から刺繍を施す。
（ロ）刺繍を施した箇所を残して、接着シートを取り除く。
（ハ）生地（１）と刺繍の表面糸（３）を接着シート（２）の作用により接着する。
（ニ）生地（１）の裏面に露出した刺繍の裏面（４）をそぎ落とすなどして、取り除き仕上げる。
本発明は以上の構成よりなる。
【発明の効果】
【０００７】  本発明を実施する事により、今まで課題であった刺繍の裏面のガリガリ感や、固いがゆえの不快感を解消でき、商品の価値を引き上げる事にも役立つ。
【図面の簡単な説明】
【図１】  本発明の第１段階の作業斜視図
【図２】  本発明の第２段階作業。表面の仕上がり状態の斜視図
【図３】  本発明の仕上段階。刺繍の裏面を取り除いた状態の斜視図
【符号の説明】
（１）生地、（２）接着シート、（３）刺繍の表糸、（４）刺繍の裏面
【図１】
2006249637.tif 000003
【図２】
2006249637.tif 000004
【図３】
2006249637.tif 000005
(57)【要約】【課題】    高齢者は、身分証明・病歴などを持ち歩く事は少なく、急に倒れた時などに手配が遅れる。旅行者には、身分証明・パスポート等の紛失時に対処できない。【解決手段】個人情報を、バーコード（ＱＲコード）によって、衣類に入れる事で、常に身につけていることが出来、緊急時に、速やかに対処する事が出来る。【選択図】    図１
2006249638.tif 000002
【特許請求の範囲】
【請求項１】
バーコード（ＱＲコード）を使って個人情報をプリントした、下着及び衣類。
【発明の詳細な説明】
【技術分野】
【０００１】本発明は、緊急時に速やかに対応できる為の、個人情報に関する。
【背景技術】
【０００２】現在、携帯電話等のバーコードを利用したものには、名刺（個人情報：住所・氏名・写真等）、診察券（個人情報：病状・処方薬等）等がある。
【発明の開示】
【発明が解決しようとする課題】
【０００３】高齢者は、身分証明・病歴など持ち歩く事は少なく、急に倒れた時などに手配が遅れる。旅行者は、身分証明・パスポート等の紛失時に対処できない。
【課題を解決する為の手段】
【０００４】本発明は、個人情報をバーコード（ＱＲコード）によって、衣類に入れる事で、常に身につけていることが出来、緊急時に速やかに対処する事が出来る。
【発明の効果】
【０００５】高齢者については、日頃は健康でありながら、一人でいる時等、突然に倒れた場合、バーコード（ＱＲコード）を読み取る事で、病歴・持病など、伝えたい事がはっきり出来る。また、旅行者においては、身分証明となり、海外旅行などでは、パスポート番号等を入れる事で、紛失などの事態に速やかに対応が出来る。
【発明を実施するための最良の形態・実施例】
【０００６】本発明は、図１に示すように、バーコード（ＱＲコード）をプリントした下着及び衣類。
【図面の簡単な説明】
【図１】  本発明の概観図である。
【符号の説明】
１  バーコード（ＱＲコード）
【図１】
2006249638.tif 000003
(57)【要約】【課題】  従来の靴下の形状は、足を入れる入り口部分が、同じ高さの為重なっており、自分で履き初めの子供や妊婦さん、体の不自由な方々には特に履きづらいと思っていました。又、赤ちゃんをおんぶしている時に、赤ちゃんが動く事により靴下がずれて脱げ落ちて無くしてしまうという事がよくありました。又、床を靴下で歩く時滑りやすく、怪我をする恐れがあった。【解決手段】  靴下の足を入れる入り口部分の前側にカット２を設けた。  足を入れる入り口の裏側にシリコン３を設けた。  靴下の裏側に足裏シリコン４を設けた。【選択図】図２
2006249641.tif 000002
【特許請求の範囲】
【請求項１】
靴下の履き口の前部分をカットした事を特徴とした靴下。
【請求項２】
前記のカットした履き口部分から下にかけて、内側に、円状のシリコンを間隔をあけて付けることを特徴とする請求項１の靴下。
【請求項３】
靴下の足裏部分に滑り止めのシリコンを付けた事を特徴とする請求項１の靴下。
【発明の詳細な説明】
【技術分野】
【０００１】    この発明は、足に履く靴下の形状に関する。
【背景技術】
【０００２】    従来の靴下の形状は、図４に示すように、足を入れる入り口の部分があり、足の形の形状で袋状になっている。出願人は、これに関する文献を知らない。
【発明の開示】
【発明が解決しようとする課題】
【０００３】    しかしながら、以上の技術によれば、足を入れる部分が履こうとして広げた時に密着しやすく、特に自分で履き初めの子供や妊婦さん、体の不自由な方々が靴下を履く時、足の指などが引っかかり１人で履けなかったり、履きづらかったりした。そこで、この発明は、足や指などが足を入れる入り口部分に引っ掛かりにくく、１人で履けたり片手でも履ける靴下を提供する事を課題とする。
又、靴下を履き、歩く、走るなどをした時に滑って転んだり、子供をおんぶした時に、靴下がずれて脱げ落ちない事を防ぐ靴下を提供する事を課題とする。
【課題を解決するための手段】
【０００４】    以上の課題を解決するために、第一発見発明は、足を入れる入り口部分の前側をカットした事を特徴とする靴下である。
又、第二発見発明は、足を入れる入り口部分の前側をカットし、入り口部分の裏側と足の裏側にシリコンの滑り止めを付ける事を特徴とする靴下である。足の裏側のシリコンは複数設けられている。
【発明の効果】
【０００５】    第一発見発明によれば、足を入れる入り口部分の前側をカットした事により、履こうとして広げた時に布が重ならず足や指が引っ掛かりにくく、１人でも片手でも履きやすい。
第二発見発明によれば、靴下で走ってもずれにくく、滑りづらい。子供をおんぶした時にも脱げ落ちなくて失くす事が少なくなった。
【発明を実施するための最良の形態】
【０００６】    この発明の一実施形態を、図１、図２、図３に示す。
図１の靴下本体１はニット又は布製である。靴下本体１には図１、図２のカット２が設けられている。
図２のシリコン３は図１、図２のカット２の足を入れる口の裏側部分から円状に間隔をあけて設けられている。その間隔及び本数は靴下の種類により異なる。図２、図３の足裏シリコン４は足の裏の部分に複数設けられている。【０００７】「実施形態の効果」
この実施形態によれば、図１、図２のカット２によって布が重ならず、足や指が引っ掛かりにくい。したがってスムーズに靴下が履きやすい。図２のシリコン３が付いている事により、足からずれたり、脱げたりしにくい。図２、図３の足裏シリコン４が付いている事により、床などでも滑りにくい。【０００８】「他の実施形態」
図３の足裏シリコン４の形状は円状であるが色々な形の物でも良い。図１、図２のカット２の形状は特定形状に限らない。
【図面の簡単な説明】
【０００９】
【図１】この発明の一実施形態を示す側面図である。
【図２】この発明の一実施形態を示す正面図である。
【図３】この発明の一実施形態を示す裏面図である。
【図４】従来技術を示す側面図である。
【符号の説明】
【００１０】      １  靴下本体      ２  カット
３  シリコン      ４  足裏シリコン
【図１】
2006249641.tif 000003
【図２】
2006249641.tif 000004
【図３】
2006249641.tif 000005
【図４】
2006249641.tif 000006
(57)【要約】【課題】これほどまでにオートマチック車が普及している今日、自動車の運転中における下半身はとてもリラックスできるようになりましたが、その代わりに、常に足の緊張感がある訳ではなくなり、不必要に両膝が開いてしまうという姿勢の悪さが発生し、更に走行中の外的振動が加わって腰痛が発生していました。しかし、腰痛対策のために一般的に用いられている幅広ゴムベルトでは、腰に装着して腰の安定をはかることが目的であるために、運転中に発生する腰痛には効果が期待できなかった。そのために、運転中の腰痛の原因である運転姿勢の悪さを改善して、外的振動によっても運転姿勢が正しく保てるようにするためのゴムベルトを提供する。【解決手段】運転中の足２の位置に対して、不必要に両膝３が開いてしまわないように、膝上位置に脱着を簡単にしたゴムベルトを装着する。【選択図】図１
2006249643.tif 000002
【特許請求の範囲】
【請求項１】
このゴムベルトは、自動車の運転中に両足の膝上位置に装着することで、腰痛を防止することを目的としたゴムベルトであるが、運転中の足の動きを制限することもなく、瞬間的な力が加わった場合にも簡単に外れる構造にしなければならい。そのためには、ゴムベルトのサイズ幅は５ｃｍ位で厚みは２ｍｍ程が良く、ベルト自体の長さは合わせ止めができることを基準にします。また合わせ部分の両方ともにマジックテープを使用しますが、多少の長さ調節ができるようにするために受け側マジックテープは長めに取り付け、合わせ側マジックテープは、力を一点に集中させることで合わせ強度を持たせながらも、瞬間的な力によって外れるようにするために、小さな三角形の形として取り付けます。またゴムベルト本体の両端も同様の考えで、マジックテープの形状に合わせて三角形に加工します。
【発明の詳細な説明】
【技術分野】
【０００１】本発明は、自動車の運転中に発生しがちな腰痛を防止するために使用するゴムベルトである。
【背景技術】
【０００２】日常生活における腰痛のために、腰を安定させて腰痛の改善を図ることを目的とした、腰部に装着して使用する幅広ゴムベルトはあった。
【発明の開示】
【発明が解決しようとする課題】
【０００３】腰を安定させて、腰痛を改善する目的である腰部装着の幅広ゴムベルトは、あくまで日常生活における自己動作の補助を目的としているために、自動車の運転中のような姿勢及び外的振動から発生する腰痛には効果がなかった。
【課題を解決するための手段】
【０００４】自動車の運転中における下半身の状態は、ペダル操作をしていない場合、どうしてもリラックスしてしまう関係から両膝３が開いてしまうものです。またその状態が長時間続くと、足２の位置に対して膝３を開いている姿勢に外的振動が加わり、骨盤のずれが生じることで腰痛が発生してしまうものと考える。そのために運転座席シート４に座った状態で、両膝３が自然に開いてしまうことのないように、ある程度の負荷がかかるようにしたゴムベルトを膝３上位置に装着するのである。但し、足２の動き自体を制限するものではないので、発明したゴムベルトを装着するに際しては、膝３と膝３の間に拳５ひとつが入る状態で装着するのである。
【発明の効果】
【０００５】この発明したゴムベルトを自動車の運転中に装着していると、不必要な膝３の開きである姿勢の悪さに加えて、運転中の外的振動によって起こりがちな腰痛の防止が可能になります。また常に正しい膝３の位置になるように反発する力が働いている関係上、運転者６自身も下肢状態を正そうとします。よってＯ脚の矯正にも作用するものと考えます。また根本的にゴムベルトの装着感覚があるので、居眠り運転防止にも役立つものと考える。
【発明を実施するための最良の形態】
【０００６】この発明したゴムベルトは、運転中に装着して効果がありますので、シートベルト同様に伸縮性があり、瞬間的な力が加わった場合には簡単に外れる構造でなければなりません。そのためにはベルトの材質はゴム製が良く、ゴム幅は５ｃｍ位で厚みを２ｍｍ程にする。またベルト自体の長さは、合わせ止めができる長さを基準とし、合わせ部分にはマジックテープを使用する。また多少の長さ調節ができるようにするために、受け側マジックテープ７は長めに取り付け、合わせ側マジックテープ８は、力が一点に集中するように小さな三角形の形状として取り付けます。またゴムベルトの両端も、マジックテープの形状に合わせて三角形の形に加工しますが、それらはすべて突然の足２の力に対して、力を一点に集中させてゴムベルトを外れやすくするために必要な方法なのです。
【図面の簡単な説明】
【０００７】
【図１】ゴムベルト完成図
【図２】運転者のゴムベルト装着状態の側面図
【図３】運転者下半身のゴムベルト装着位置の真上図
【符号の説明】
【０００８】１  ゴムベルト本体
２  足
３  膝
４  運転座席シート
５  拳
６  運転者
７  受け側マジックテープ
８  合わせ側マジックテープ
【図１】
2006249643.tif 000003
【図２】
2006249643.tif 000004
【図３】
2006249643.tif 000005
(57)【要約】      （修正有）【課題】カーポートの屋根は強風時に破損しやすく、飛散して自宅だけでなく、近隣をも危険に巻き込みゴミを散らす。また、飛散時本体をも破損してしまう。また、補修は専門の道具や人が必要となり、材料費、労力、時間がかかる。【解決手段】屋根を巻取り可能として破損、飛散を防止すれば、危険やゴミを防ぐことができ、補修も不要となる。【選択図】図１
2006249656.tif 000002
【特許請求の範囲】
【請求項１】
収納可能なことを特徴とするカーポート屋根
【請求項２】
前記収納方法は、巻取りによることを特徴とする。
【請求項３】
前記収納方法は、手動又は自動にて実施する
【発明の詳細な説明】
【技術分野】
【０００１】  この発明は、カーポート屋根に関する。
【背景技術】
【０００２】  従来のカーポート屋根は図１で示すように、スレート等のように板状の屋根が使用されていた。
【発明の開示】
【発明が解決しようとする課題】
【０００３】しかしながら、以上の技術によれば、専門の道具を使用しなければ家庭で簡単に取り外すことが困難であった。
そこで、この発明は、屋根の取り外しに専門の道具や職人の使用を不要とすることを提供することを課題とする
【課題を解決するための手段】
【０００４】  以上の課題を解決するために、第一発明は、収納可能なことを特徴とするカーポート屋根である。
また、第二発明は、前記収納方法は、巻取りによることを特徴とするカーポート屋根である。
また、第三発明は、前記収納方法は、手動又は自動にて実施することを特徴とするカーポート屋根である。
【発明の効果】
【０００５】  第一発明、第二発明または第三発明によれば、カーポート屋根を収納可能としたことで、台風等の時に収納ができるので、屋根や本体の破損を防ぐことができる。屋根の飛散による近隣の危険を回避できる。補修も不要となる。
【発明を実施するための最良の形態】
【０００６】  この発明の一実施形態を、図１に示す。
カーポート屋根の本体１をシート状、又は板状とし本体１を固定する２は紐または３本体を傷付けない器具として巻き取る。【０００７】「実施形態の効果」
この実施形態によれば、本体１を固定器具２または３により、強風時の屋根の破損、飛散が防止できる。【０００８】「他の実施形態」
図１の実施形態では、本体の破損が防止できる。
他の実施形態では、巻取りは手動、自動どちらでも良い。
【図面の簡単な説明】
【０００９】
【図１】この発明の一実施形態を示す斜視図である。
2006249656.tif 000003
【図２】従来技術を示す斜視図である。
2006249656.tif 000004
【符号の説明】
【００１０】１  屋根          ２  固定紐
３  固定器具      ４  本体
【手続補正書】
【提出日】平成18年6月20日(2006.6.20)
【手続補正１】
【補正対象書類名】明細書
【補正対象項目名】０００９
【補正方法】変更
【補正の内容】
【０００９】
【図１】この発明の一実施形態を示す斜視図である。
【図２】従来技術を示す斜視図である。
【手続補正２】
【補正対象書類名】図面
【補正対象項目名】全図
【補正方法】変更
【補正の内容】
【図１】
2006249656.tif 000005
【図２】
2006249656.tif 000006
(57)【要約】【課題】  従来の小口径鋼管杭の一般鋼管杭は、認定鋼管杭にくらべて、鋼管杭の先端部分に、蓋を取付けないで施行したり、蓋を取付けても掘削性能が著しく悪い状態でした。【解決手段】  掘削性能の良い蓋の爪を、製造が簡単で、製造費が安く、サイズの違う鋼管杭にも対応出来れば、安心して使用でき、施工も早くでき、工事費も安くなり、性能の悪い鋼管杭は使用しなくなります。【選択図】  図１
2006249906.tif 000002
【特許請求の範囲】
【請求項１】
蓋の爪３を製造するため、１枚の鉄板を本発明の爪の形状に切断すると、廃材５が出来、その廃材５を２枚合わせて溶接し、１枚の蓋の爪３に作成する鋼管杭の爪付き蓋。
【請求項２】
蓋の爪３は、蓋２の中心部は長く、蓋の端に行くにしたがって、短い爪の形状にする、鋼管杭の爪付き蓋。
【請求項３】
廃材５をずらして２枚溶接し、サイズの違う鋼管杭の蓋の爪６として使用する、鋼管杭の爪付き蓋。
【請求項４】
廃材５を、蓋２の片側半分に取付け溶接し、補強材８で補強し、蓋の爪７として作成した、鋼管杭の爪付き蓋。
【請求項５】
１枚の鉄板を、本発明の爪の形状に、左右対称に切断し、２枚の爪の部品を作成する、鋼管杭の爪付き蓋。
【発明の詳細な説明】
【技術分野】
【０００１】  本発明は、鋼管杭の先端部分に取付ける、爪付き蓋に関する物です。
【背景技術】
【０００２】  従来の鋼管杭は、小口径鋼管杭の場合、一般鋼管杭と認定鋼管杭とに分かれており、一般鋼管杭は認定鋼管杭にくらべ、鋼管杭の先端部分は蓋を取付けてなかったり、蓋を取付けても、蓋に付いている爪が平らな爪等で、爪の掘削性能が著しく悪い状態でした。
【発明の開示】
【発明が解決しようとする課題】
【０００３】  一般鋼管杭でも、認定鋼管杭と同等くらいの掘削性能をもった爪付き蓋を、鋼管杭の先端部分に取付けるべきだと思います。
【課題を解決するための手段】
【０００４】  それには掘削性能の良い爪の製造を、簡単で無駄がなく、製造費も安く、サイズの違う鋼管杭にも対応出来る爪付き蓋を作成することです。
【発明の効果】
【０００５】  そうすれば、性能の悪い鋼管杭は無くなり、一般鋼管杭でも認定鋼管杭と同等の性能を持った鋼管杭として、安心して使用でき、施工も早く、工事費も安くなります。
【発明を実施するための最良の形態】
【０００６】  本発明の蓋の爪の製造は、１枚の鉄板を本発明の爪の形にプレス機械等で左右対称に切断して、１枚の鉄板から２枚の爪を製造し、無駄が出ない方法で製造する。
【実施例】
【０００７】  本発明の、鋼管杭の先端部分の爪付き蓋を、図面とともに説明致します。
図１は、本発明の爪付き蓋を、鋼管杭の先端に取付け溶接した正面図です。
蓋２の真中に蓋の爪３を取付け溶接した部品を、鋼管杭１の先端に取付け溶接する。
図１のように、蓋の爪３は、蓋２の中心部は長く、蓋の端に行くにしたがって短い爪の形状にし、蓋の爪３の形状、突起爪４の個数は、鋼管杭の大小によって替えても良い。【０００８】  図２のように、蓋の爪３を製造するため、１枚の鉄板をプレス機械等で、本発明の爪の形に切断すると、蓋の爪３と廃材５が出来ます。その廃材５を捨てないで図３のように、廃材５を２枚合わせて溶接し、１枚の蓋の爪３として使用する。
また、図４のように、廃材５を２枚少しずらして溶接し、サイズの違う鋼管杭の蓋の爪６として使用することも出来るし、図５のように、蓋の片側半分の爪７としても使用することが出来ます。
図６のように、蓋の片側半分の爪７は不安定なので、補強材８で溶接補強する。【０００９】  また、図７のように、片側半分の爪７の製造は、１枚の鉄板をプレス機械等で本発明の爪の形に切断すれば、左右対称に同じ爪が２枚出来上がり、無駄の無い部品製造が出来ます。
【図面の簡単な説明】
【００１０】
【図１】  爪付き蓋を、鋼管杭の先端に取付け溶接した、正面図。
【図２】  蓋の爪３を、製造した時に出来た、廃材５の正面図。
【図３】  廃材５を２枚合わせて溶接し、蓋の爪３に作成した正面図。
【図４】  廃材５を２枚、少しずらして溶接し、蓋の爪６に作成した正面図。
【図５】  廃材５を、蓋の片側半分の爪７として取付け溶接した正面図。
【図６】  蓋の片側半分の爪７に、補強材８で補強した平面図。
【図７】  １枚の鉄板を、本発明の爪の形状に、左右対称に切断して、２枚の爪を製造する平面図。
【符号の説明】
【００１１】１、鋼管杭
２、蓋
３、蓋の爪
４、突起爪
５、廃材
６、サイズの違う爪
７、片側半分の爪
８、補強材
【図１】
2006249906.tif 000003
【図２】
2006249906.tif 000004
【図３】
2006249906.tif 000005
【図４】
2006249906.tif 000006
【図５】
2006249906.tif 000007
【図６】
2006249906.tif 000008
【図７】
2006249906.tif 000009
(57)【要約】      （修正有）【課題】脱臭剤カートリッジとモータ駆動ファンとを併置してもケーシングの前後方向の長さが大きくならないようにする。【解決手段】便器１１の後方に載置されたケーシング１２と、前記ケーシング１２の下面に形成された第１開口１２ｂと、前記第１開口１２ｂを開閉する扉１２ａと、前記扉１２ａの開閉操作により前記第１開口１２ｂを介して前記ケーシング１２内に収容される脱臭カートリッジ１７と、前記便器１１の内部と連通するように前記ケーシング１２に形成された第２開口１２ｃと、前記便器１１の外部と連通するように前記ケーシングに形成された第３開口２２と、前記ケーシング１２内に収容され、前記便器１１の内部の臭気を前記第２開口１２ｃを介して前記脱臭カートリッジ１７に吸引し、前記脱臭カートリッジ１７により脱臭された臭気を前記第３開口２２を介して前記ケーシング１２及び前記便器１１の外部に排出するモータ駆動ファン１８とを備える。【選択図】図２
2006249924.tif 000002
【特許請求の範囲】
【請求項１】
便器の後方部の上面に載置されたケーシングと、
前記ケーシング内に設けられ、前記便器の内部に向けて延出するノズルを持つ洗浄装置と、
前記便器後方部上面と対向するように前記ケーシングの下面に形成された第１開口と、
前記第１開口を開閉する扉と、
前記ケーシングを前記便器後方部上面へ載置する前に、前記第１開口を介して前記ケーシング内に収容される脱臭カートリッジと、
前記便器の内部と連通するように前記ケーシングに形成された第２開口と、
前記便器の外部と連通するように前記ケーシングに形成された第３開口と、
前記ケーシング内に収容され、前記便器の内部の臭気を前記第２開口を介して前記脱臭カートリッジに吸引し、前記脱臭カートリッジにより脱臭された臭気を前記第３開口を介して前記ケーシング及び前記便器の外部に排出するモータ駆動ファンとを備える、人体局部洗浄装置。
【請求項２】
前記第１開口は、前記便器の内部に向けて開口し、前記人体局部洗浄装置の使用時には前記扉により閉塞されている、請求項１記載の人体局部洗浄装置。
【請求項３】
前記ノズルは、前記第２開口を通過して前記便器の内部に向けて延出する、請求項１記載の人体局部洗浄装置。
【請求項４】
前記脱臭カートリッジは、前記ケーシング内にてバネにて保持される、請求項１記載の人体局部洗浄装置。
【発明の詳細な説明】
【技術分野】
【０００１】
本発明は、人体局部洗浄装置に関するものであり、更に詳しくは、便器の後方部の上面に載置されたケーシング内に収容された脱臭剤カートリッジを備えた人体局部洗浄装置に関するものである。
【背景技術】
【０００２】
従来のこの種の人体局部洗浄装置、例えば特許文献１に開示されたものにおいては、ケーシングの幅方向の側面に開口を設け、この開口を介して脱臭剤カートリッジをケーシング内に装架している。
【特許文献１】特公平７−１０２２０３号公報
【発明の開示】
【発明が解決しようとする課題】
【０００３】
特許文献１に開示された装置においては、脱臭剤により脱臭作用を受けた空気をケーシング外に排出するモータ駆動ファンをケーシング内部の側方に配設しようとすると、モータ駆動ファンは、脱臭剤カートリッジの前方若しくは後方に位置せざるをえない。そうすると、ケーシングの側部の前後方向の長さが大きくなりすぎるという不具合がある。
【０００４】
それ故に、本発明は、かかる不具合を除去した人体局部洗浄装置を提供することを、技術的課題とするものである。
【課題を解決するための手段】
【０００５】
上記の課題を解決するために講じた技術的手段は、請求項１に記載のように、
「便器の後方部の上面に載置されたケーシングと、
前記ケーシング内に設けられ、前記便器の内部に向けて延出するノズルを持つ洗浄装置と、
前記便器後方部上面と対向するように前記ケーシングの下面に形成された第１開口と、
前記第１開口を開閉する扉と、
前記ケーシングを前記便器後方部上面へ載置する前に、前記第１開口を介して前記ケーシング内に収容される脱臭カートリッジと、
前記便器の内部と連通するように前記ケーシングに形成された第２開口と、
前記便器の外部と連通するように前記ケーシングに形成された第３開口と、
前記ケーシング内に収容され、前記便器の内部の臭気を前記第２開口を介して前記脱臭カートリッジに吸引し、前記脱臭カートリッジにより脱臭された臭気を前記第３開口を介して前記ケーシング及び前記便器の外部に排出するモータ駆動ファンとを備える、人体局部洗浄装置。」
を構成したことである。
【発明の効果】
【０００６】
請求項１の発明によれば、脱臭剤カートリッジをケーシングのより内部に配置すると共にモータ駆動ファンを脱臭剤カートリッジの幅方向外側に隣接配置することができるので、ケーシングの側部の前後方向の長さが大きくなりすぎるようなことはない。
【発明を実施するための最良の形態】
【０００７】
以下、本発明に係る人体局部洗浄装置の一実施形態を添付図面にもとづいて説明する。
【０００８】
図１において、人体局部洗浄装置１０は便器１１を備える。便器１１の後部の上面には、ケーシング１２が載置されている。ケーシング１２内には周知の洗浄装置１３が収容されており、そのノズル１４・１５が、ケーシング１２の開口１２ｃを介して、便器１１内に伸長して図示されない便座上の使用者の局部を噴射洗浄するようになっている。
【０００９】
ケーシング１２内部の幅方向側部には、インナハウジング１６が配設されており、その右側の壁１６ａは、ケーシング１２の立壁１２ｄに係止されている。しかしてインナハウジング１６内には脱臭剤カートリッジ１７およびモータ駆動ファン１８が、夫々、内方および外方に位置すべく、収容されている。図２に示すように、インナハウジング１６の内方側の底部は扉状となったケーシング１２の底部の一部１２ａにより開閉自在となっており、ケーシング１２が便器１１の後部の上面に載置される前に、扉１２ａが開かれて脱臭剤カートリッジ１７が開口１２ｂを通過させて、インナハウジング１６の内方側に収容されるようになっている。収容された後、脱臭剤カートリッジ１７はバネ１９にて保持されるようになっている。
【００１０】
また、インナハウジング１６のモータ駆動ファン１８側の側壁１６ａとモータ駆動ファン１８との間には空間２０が画成されており、この空間２０はケーシング１２の底部に形成された開口１２ｂを介して外部と連通している。
【００１１】
モータ駆動ファン１８が作動すると、便器１１内に漂っている臭気はケーシング１２の開口１２ｃを介して脱臭剤カートリッジ１７側に吸引せられ、脱臭剤カートリッジ１７にて脱臭された後、開口２２を介して、外部に放出される。
【図面の簡単な説明】
【００１２】
【図１】本発明の人体局部洗浄装置の平面概略図である。
【図２】図１におけるＡ−Ａ線に沿う拡大断面図である。
【符号の説明】
【００１３】
１１： 便器
１２： ケーシング
１２ｂ： 第１開口
１２ｃ： 第２開口
１７： 脱臭剤
１８： モータ駆動ファン
【図１】
2006249924.tif 000003
【図２】
2006249924.tif 000004
(57)【要約】      （修正有）【課題】  置き敷き後、床仕上げ用としてのタイルカーペット等の上敷きが要らず、また、床段差並びに天井高が気にならず、かつ、軽くて施工が簡易な一体形状、本体総層厚２センチで、表層面は敷き込めばそのまま配線床として使える化粧仕上げ、裏面は本体中央のケーブル取り出し開口部で十文字に交差するケーブル通線用の溝２本を並列に形成する一体形状のものを、熱可塑性樹脂を用いて射出成形する低床タイプのタイル型ＯＡフロアを実現する。【解決手段】  本体の形状を５０センチ角、総層厚２センチとし、厚さ４ミリの表層面にしぼ模様を刻み、その表層面を支える２．５センチ間隔のパイプ柱並びにそのパイプ柱をタテヨコ格子状につなぐ梁の直上部の表層面にＶ型溝を形成し、裏面は本体中央のケーブル取り出し開口部で十文字に交差するケーブル通線用の溝２本を並列に形成する一体形状のものを、硬度８０°〜９０°熱可塑性軟質樹脂を金型を用いて射出成形する。【選択図】  図１
2006249912.tif 000002
【特許請求の範囲】
【請求項１】
置き敷き後、床面仕上げ用としてのタイルカーペット等の上敷きが要らず、敷き込めばそのまま配線床として使える、本体形状を５０センチ角、総層厚２センチのタイル型ＯＡフロアを実現する本発明は、厚さ４ミリの表層面にしぼ模様を刻み、その表層面を支える２．５センチ間隔のパイプ柱並びにそのパイプ柱をタテヨコ格子状につなぐ梁の直上部の表層面に、本体成型時の素材特有のひけ、そり、たわみを矯正するＶ型溝を形成し、裏面は本体中央のケーブル取り出し開口部で十文字に交差する内径高さ１６ミリ、巾２３ミリのケーブル通線用の溝２本を並列に形成する一体形状のものを、硬度８０°〜９０°熱可塑性軟質樹脂を金型を用いて射出成形した低床タイプのタイル型ＯＡフロア。
【発明の詳細な説明】
【技術分野】
【０００１】  本発明は、置き敷きタイプのＯＡフロアに関するものである。
【背景技術】
【０００２】  オフィスをＯＡフロアにするためには二重床にするか、あるいは、床高が４センチ〜１５センチになる在来品、加えて、本体表層面をタイルカーペット等で保護しなければならないパーツユニット等で組み立てるＯＡフロアパネルを使うしかなかった。つまり、カーペット等の上敷きが要らず、また、床高が２センチで収まる低床で一体成形を特徴とするＯＡフロアはなかった。
【発明の開示】
【発明が解決しようとする課題】
【０００３】  床仕上げ用としてのタイルカーペット等の上敷きが要らず、また、床段差並びに天井高が気にならず、かつ、軽くて施工が簡易な一体形状、本体総層厚２センチで、表層面は敷き込めばそのまま配線床として使える化粧仕上げ、裏面は本体中央のケーブル取り出し開口部で十文字に交差するケーブル通線用の溝２本を並列に形成する一体形状のものを、熱可塑性樹脂を用いて射出成形する低床タイプのタイル型ＯＡフロアを実現する本発明の課題は、本体成型時の素材特有のひけ、そり、たわみの矯正、置き敷き後に適度なまじみを持たせる柔軟性、それに反して耐荷重性能の維持、そして軽量化並びに簡易な施工性を図るため本体の嵩を削減させること、加えてリサイクルが可能な素材の選定であった。
【課題を解決するための手段】
【０００４】  本体を形成する表層面を厚さ４ミリにし、その表層面を支える２．５センチ間隔のパイプ柱並びにそのパイプ柱をタテヨコ格子状につなぐ梁の直上部の表層面に、本体成型時の素材特有のひけ、そり、たわみを矯正するＶ型溝を形成し、裏面は本体中央のケーブル取り出し開口部で十文字に交差するケーブル通線用の溝２本を並列に形成する一体形状のものを、硬度８０°〜９０°熱可塑性軟質樹脂を金型を用いて射出成形する。
【発明の効果】
【０００５】  本発明は、ケーブル通線用の溝を有しながら本体以外の複合部材を省き、敷き込めばそのまま配線床として使える機能を有する熱可塑性樹脂を射出成形したタイル型ＯＡフロアであって、総層厚２センチに一体成形したものであることから、床段差並びに天井高が気にならず、パーツユニット等での組み立てがないため施工時間が短縮でき、施工時の置き場スペースの縮小、運搬コストの低減が可能となり、さらに、上敷き用のタイルカーペットを不要とすることで全体のコストダウンも図れ、また、リサイクルが可能となる。
【発明を実施するための最良の形態】
【０００６】  本体の形状を５０センチ角、総層厚２センチとし、厚さ４ミリの表層面をしぼ模様化粧仕上げとし、その表層面を支える２．５センチ間隔のパイプ柱並びにそのパイプ柱をタテヨコ格子状につなぐ梁の直上部の表層面に、本体成型時の素材特有のひけ、そり、たわみを矯正するＶ型溝を形成し、裏面は本体中央のケーブル取り出し開口部で十文字に交差する内径高さ１６ミリ、巾２３ミリのケーブル通線用の溝２本を並列に形成する一体形状のものを、硬度８０°〜９０°熱可塑性軟質樹脂を金型を用いて射出成形する。また、各辺の縁に本体同士を固定する接続用フックを付ける。
【実施例】
【０００７】  本体の形状を５０センチ角、総層厚２センチとし、表層面の厚さを４ミリにし、その表層面にしぼ模様を刻み、その表層面を支える２．５センチ間隔のパイプ柱並びにそのパイプ柱をタテヨコ格子状につなぐ梁の直上部の表層面にＶ型溝を形成し、裏面は本体中央のケーブル取り出し開口部で十文字に交差する内径高さ１６ミリ、巾２３ミリのケーブル通線用の溝２本を並列に形成する一体形状のものを、硬度８０°〜９０°熱可塑性軟質樹脂を金型を用いて射出成形する。
【産業上の利用可能性】
【０００８】  本発明は、パーツユニット等での組み立てを不要とする、敷き込めばそのまま配線床として使える熱可塑性樹脂を厚さ２センチに射出成形したものであることから、床段差並びに天井高が気にならず、施工時間の短縮、施工時の置き場スペースの縮小、運搬コストの低減等が達成でき、在来オフィス等のＯＡフロア化が容易になり、かつ、新築建物を計画する際、階高の縮小が図れ、加えて環境に適したリサイクル製品として産業上の利用が可能となる。
【図面の簡単な説明】
【０００９】
【図１】  本発明の一体成形されたタイル型ＯＡフロアの表面姿図である。
【図２】  本発明の一体成形されたタイル型ＯＡフロアの裏面姿図である。
【図３】  本発明の一体成形されたタイル型ＯＡフロアの裏面詳細部分姿図である。
【符号の説明】
【００１０】１  表層面
２  Ｖ型溝
３  ケーブル取り出し開口部用キャップ
４  ケーブル通線用の溝
５  接続用フック
６  ケーブル取り出し開口部
７  パイプ柱
８  梁
【図１】
2006249912.tif 000003
【図２】
2006249912.tif 000004
【図３】
2006249912.tif 000005
(57)【要約】【課題】  従来のものに比べて、燃費の延びる燃費向上装置を提供しようとするものである。【解決手段】  自動車１０の液体燃料タンク１１とエンジン１２とを結ぶ燃料送液パイプ１３中に、球状３ａの外表面に多数の疣状突起３ｂを設けたセラミック製基体３の外表面に酸化トリウムを含む被膜層３ｃを設けた金平糖状ブロック２を多数濾過体の如くに配置した燃費向上器本体１を挿入配置してある。液体燃料タンク１１から送液パイプ１３を介してエンジン１２に送られる液体燃料は、燃料向上器本体１を通過するとき酸化トリウム３ｃを被覆した金平糖状ブロック２を通過してエンジン１２に送られる。【選択図】  図１
2006249938.tif 000002
【特許請求の範囲】
【請求項１】
自動車（１０）の液体燃料タンク（１１）とエンジン（１２）とを結ぶ燃料送液パイプ（１３）中に、球状（３ａ）の外表面に多数の疣状突起（３ｂ）を設けたセラミック製基体（３）の外表面に酸化トリウムを含む被膜層（３ｃ）を設けた金平糖状ブロック（２）を多数濾過体の如く配置した燃費向上器本体（１）を挿入配置したことを特徴とする自動車の燃費向上装置。
【発明の詳細な説明】
【技術分野】
【０００１】
この発明は、エンジンの燃費を向上させる装置に関するものである。
【背景技術】
【０００２】
エンジンの燃費を向上させることは、大気汚染を減少させるし、経済的にも有利なことから、世間から求められている。
また、基体の表面にα線放射材である酸化トリウム粉末を付着させ、燃料空気の混合気に電離作用を有するα線を照射することにより、燃焼ガス中の有害成分を減少させることは知られている。
【特許文献１】特開平１１−１３２４４１号
【発明の開示】
【発明が解決しようとする課題】
【０００３】
従来のものに比べて、燃費の延びる燃費向上装置を提供しようとするものである。
【課題を解決するための手段】
【０００４】
本発明者は、α線を放射する酸化トリウムを利用することにより、エンジンの燃費が著しく向上することを見出した。
本発明に係るエンジンの燃費向上装置は、液体燃料タンク１１とエンジン１２とを結ぶ燃料送液パイプ１３中に、球状３ａの外表面に多数の疣状突起３ｂを設けたセラミック製基体３の外表面に酸化トリウムを含む被膜層３を設けた金平糖状ブロック２を多数濾過体の如く配置した燃費向上器本体１を挿入配置したことを特徴とするものである。
【発明の効果】
【０００５】
燃料送液パイプ１３中に、本発明に係る燃費向上器本体１を配置することにより、エンジンの燃費を著しく向上することが出来る。
【発明を実施するための最良の形態】
【０００６】
図において球状３ａの外表面に多数の疣状突起３ｂを設けたセラミック製基体３の外表面に酸化トリウムを含む被膜層３を設けた金平糖状ブロック２を多数円環状籠４内に充填して燃費向上器本体１が構成されている。
【０００７】
底を円錐状に中央を低くした筒状ケース６内に中心パイプ７を同心状に配置し、筒状体ケース６と中心パイプ７との間の環状空間中に上下に空間６ａ，６ｂを持たせて燃料向上器本体１が配置されるようになっており、中心パイプ７を貫かせて被せた筒状ケース６の蓋８には送液パイプ１３の上流側が連結され、中心パイプ７の上端には送液パイプ１３の下流側が連結され、更に下空間６ｂより下位の中心パイプ７には放射方向の透孔７ａが設けられている。
【０００８】
１０は自動車、１１は液体燃料タンク、１２はエンジン、１３は液体燃料タンク１１とエンジン１２とを結ぶ燃料送液パイプで、該送液パイプ１３中に、液体燃料フィルター１４と燃費向上器本体１とが直列に配置されている。図１に示す如く液体燃料フィルター１４の下流側に燃費向上器本体１を配置しても、あるいは図２に示す如く燃費向上器本体１の下流側に燃料フィルター１４を配置してもよい。液体燃料タンク１１から送液パイプ１３を介してエンジン１２に送られる液体燃料は、燃費向上器本体１を通過するとき酸化トリウム３ｃを被覆した金平糖状ブロック２を通過してエンジン１２に送られる。
【実施例】
【０００９】
ダイハツ製軽自動車、島根５０て６０８３を用いて平成１７年１月８日実験したところ、本発明装置を用いないものは１５ｋｍ／リットルなのに対し、金平糖状をしたブロック２を内蔵した本発明燃費向上器本体１を備えたものは２５ｋｍ／リットルであった。
また、金平糖状をしたブロック２に代え、球状体にしたブロックを備えたものの燃費は１７ｋｍ／リットルであった。
【産業上の利用可能性】
【００１０】
発明を実施するための最良の形態及び実施例では、自動車のエンジンを例にとって説明したが、建設機械用，船舶用，発電用のエンジンのみならずその他の各種エンジンにも本発明は適用可能である。
【図面の簡単な説明】
【００１１】
【図１】本発明の一例を備えた自動車の原理的側面図である。
【図２】本発明の他例を備えた自動車の原理的側面図である。
【図３】燃料向上器本体の垂直切断側面図である。
【図４】金平糖状ブロックの垂直切断側面図である。
【符号の説明】
【００１２】
１        燃費向上器本体
２        金平糖状ブロック
３        基体
３ａ      球体
３ｂ      疣状突起
４        円環状籠
４ｃ      被膜層
６        ケース
６ａ      上空間
６ｂ      下空間
７        中心パイプ
７ａ      透孔
８        蓋
１０      自動車
１１      液体燃料タンク
１２      エンジン
１３      送液パイプ
１４      液体燃料フィルター
【図１】
2006249938.tif 000003
【図２】
2006249938.tif 000004
【図３】
2006249938.tif 000005
【図４】
2006249938.tif 000006